【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
以下の式で表わされる構造を有する少なくとも1つシリコーン含有残基と、
【化１】
2010532417.tif 000001
（式中、Raは、水素又はメチルを表し、
Aは、シロキサニル基を表す)
以下の式で表わされる構造を有する少なくとも1つの重合可能残基：
【化２】
2010532417.tif 000002
（式中、Rpは、水素又はメチルを表し、
Pは、1つ以上の重合可能部位を含む有機基を表す) 
とを有するシリコーンプレポリマーであって、
該プレポリマーは、その約10重量％〜約30重量％のケイ素含量を有し；
少なくとも1つのシリコーン含有残基のうち少なくとも1つが、少なくとも1つの極性部位をさらに有する極性シリコーン含有残基であり；及び
前記プレポリマーは、その約30重量％〜約90重量％の極性シリコーン含有残基を有する、
シリコーンプレポリマー。
【請求項２】
以下の式で表わされる構造を有する親水性残基の少なくとも1つをさらに含む、請求項1記載のプレポリマー：
【化３】
2010532417.tif 000003
（式中、Rbは、水素又はメチルを表し；及び
Bは、親水性基を表す）。
【請求項３】
極性部位がヒドロキシル、アミド、カルボキシル、アミノ、カルボネート、カルバメート、スルホアミド、スルホン酸基、ホスホン酸基、メトキシエチル、メトキシエトキシエチル、ヒドロキシエチル又はヒドロキシエトキシエチルである、請求項1記載のプレポリマー。
【請求項４】
極性部位がヒドロキシルである、請求項1記載のプレポリマー。
【請求項５】
少なくとも1つのAが、以下の式で表わされる構造を有する請求項1記載のプレポリマー。
【化４】
2010532417.tif 000004
（式中、Lは、炭素数1〜20のアルキル残基又は炭素数1〜20のアリール残基を表し；
Dは、シロキサニル基を表す）。
【請求項６】
少なくとも1つのAが、以下の式で表わされる構造を持つ、請求項1記載のプレポリマー。
【化５】
2010532417.tif 000005
（式中、Gは、炭素数1〜20のアルキル残基又は炭素数1〜20のアリール残基を表し、そのアルキル残基又はアリール残基は、1つ以上のヒドロキシル基をさらに含み；
Lは、炭素数1〜20のアルキル残基又は炭素数1〜20のアリール残基を表し；
Dは、シロキサニル基を表す）。
【請求項７】
Dは、以下の式で表わされる構造を有する、請求項5記載のプレポリマー：
【化６】
2010532417.tif 000006
（式中、E1〜E11は独立して水素、置換されてもよい炭素数1〜20のアルキル残基、又は置換されてもよい炭素数6〜20のアリール残基を表し；
hは、0〜200の整数を表し；及び
i、j及びkは、独立に0〜20の整数を表すが、h、i、j及びkは同時に0ではない）。
【請求項８】
少なくとも1つのAが、以下の式で表わされる構造を有する、請求項1記載のプレポリマー。
【化７】
2010532417.tif 000007
（式中、nは、3〜10の整数を表し； 
RSは、炭素数1〜20のアルキル残基又は炭素数1〜20のアリール残基を表す）。
【請求項９】
親水性残基が、N,N-ジメチルアクリルアミド、2-ヒドロキシエチルメタクリレート、N-ビニルピロリドン、N-ビニルホルムアミド、N-ビニルアセトアミド、（メタ）アクリル酸、N-ビニル-2-ピペリドン、N-ビニル-2-カプロラクタム、N-ビニル-3-メチル-2-カプロラクタム、N-ビニル-3-メチル-2-ピペリドン、N-ビニル-4-メチル-2-ピペリドン、N-ビニル-4-メチル-2-カプロラクタム、N-ビニル-3-エチル-2-ピロリドン、N-ビニル-4,5-ジメチル-2-ピロリドン又はN-ビニルイミダゾールの1つ以上の残基を含む、請求項2記載のプレポリマー。
【請求項１０】
重合可能残基が、1つ以上のメタクリロイルオキシ基、アクリロイルオキシ基、メタクリルアミド基、アクリルアミド基、スチリル基、ビニル基、ビニルカーボネート基、ビニルカルバメート基、アリルカーボネート基又はアリルカルバメート基を含む、請求項1記載のプレポリマー。
【請求項１１】
重合可能残基が、以下の式で表わされる構造
【化８】
2010532417.tif 000008
（式中、RZは、水素又はメチルを表し；
Zは、置換されてもよい炭素数1〜20のアルキル残基又は置換されてもよい炭素数6〜20のアリール残基を表し、そのアルキル又はアリールは、ヒドロキシル基、カルボキシル基、エステル基、又はカルボン酸無水物基の少なくとも１つをさらに含む）
と、
少なくとも１つの重合可能残基を有する少なくとも１つの化合物と反応させることにより得られる、請求項１記載のプレポリマー。
【請求項１２】
Zは、1つ以上の：
【化９】
2010532417.tif 000009
ハロゲノカルボニル基、（メタ）アクリロイルオキシカルボニル基、カルボキシル基、炭素数1〜20のアルキルオキシカルボニル基、2-アミノエトキシカルボニル基、4-ハロゲノカルボフェニル基、4-カルボキシフェニル基、又は4-（C1-C20アルキルカルボニル）フェニル基を含む、請求項１１記載のプレポリマー。
【請求項１３】
1つ以上の重合可能基を有する化合物が、2-イソシアナトエチル（メタ）アクリレート、（メタ）アクリロイルイソシアネート、
【化１０】
2010532417.tif 000010
（メタ）アクリル酸ハロゲン化物、（メタ）アクリル無水物、（メタ）アクリル酸、メチル（メタ）アクリレート、エチル（メタ）アクリレート、2-ヒドロキシエチル（メタ）アクリレート、2-アミノエチル（メタ）アクリレート、4-ビニル安息香酸ハロゲン化物、4-ビニル安息香酸無水物、又は4-ビニル安息香酸エステルである、請求項11記載のプレポリマー。
【請求項１４】
少なくとも1の重合可能部位が、以下の式で表わされる構造を有する、請求項1記載のプレポリマー。
【化１１】
2010532417.tif 000011
（式中、Rは、水素又はメチルを表す）。
【請求項１５】
約13重量％〜約20重量％のケイ素含量を有する、請求項1記載のプレポリマー。
【請求項１６】
極性シリコーン単位の総量が、前記プレポリマーの固形含量に対して約50重量％〜約80重量％である、請求項1記載のプレポリマー。
【請求項１７】
重合可能単位の含量が、前記プレポリマーに対して約0.1〜約15mol％である、請求項1記載のプレポリマー。
【請求項１８】
前記プレポリマーが、水溶性溶媒中に該プレポリマーの固形含量に対して約50重量％以上の溶解度を有する、請求項1記載のプレポリマー。
【請求項１９】
前記プレポリマーが、約1重量％〜約10重量％のポリビニルピロリドンを含む水溶性溶媒中に、該プレポリマーの固形含量に対して約50重量％以上の溶解度を有する、請求項1記載のプレポリマー。
【請求項２０】
水溶性溶媒が、1つ以上のエチレングリコール、プロピレングリコール、ポリエチレングリコール、ポリプロピレングリコール、又はエチレングリコール-プロピレングリコールコポリマー又はそれらの混合物を含む、請求項18記載のプレポリマー。
【請求項２１】
請求項１記載のプレポリマーを重合することにより得られるポリマー。
【請求項２２】
請求項２１記載のポリマーを含む眼用レンズ。
【請求項２３】
請求項２１記載のポリマーを含むコンタクトレンズ。